(57)【特許請求の範囲】
【請求項１】
機体（１）前方に、左右両外側位置に接地輪（２），（２）を備えた刈刃ハウジング（３）を設け、その後方に原動機（４）と左右一対の走行輪（５），（５）とを設け、機体（１）後方上方へ向け延設するハンドル（６）を、その後方を歩行する作業者が把持操作しながら草刈作業を行うことのできる歩行型草刈機において、前記走行輪（５），（５）の左右間隔（Ｗ）を拡縮可能に構成し、接地輪（２），（２）を上下移動させて草の刈高さを調整可能にするとともに、刈刃ハウジング（３）の左右両外側に配置した接地輪（２），（２）を上下移動させた際に、該接地輪（２），（２）の前端が側面視刈刃ハウジング（３）側板（３５）の前端（Ｆ）より突出しないよう構成し、更に、刈刃ハウジング（３）の前部上側の中央部に接地輪取着部（７）を設け、この接地輪取着部（７）へ接地輪（２ａ）を着脱可能に構成したことを特徴とする歩行型草刈機。
【発明の詳細な説明】
【技術分野】
【０００１】
この発明は、左右一対の走行駆動用の走行輪を備えた歩行型草刈機に関し、更に詳しくは、平地での草刈作業を行う場合には刈草の掻き込み性が良く、狭幅の畦上の草刈作業においても容易に行うことのできる歩行型草刈機の構成に関するものである。
【背景技術】
【０００２】
刈刃ハウジング左右両側に接地車輪を設けた歩行型の草刈機が特許文献１に開示されてあり、刈刃ハウジング前方中央部に接地輪を設けた草刈機については特許文献２に開示されている。
【先行技術文献】
【特許文献】
【０００３】
【特許文献１】特開２００８−１６７６７９号公報
【特許文献１】特開平８−３３６７２２号公報
【発明の概要】
【発明が解決しようとする課題】
【０００４】
従来より、機体後部に設けた左右一対の走行駆動輪と、機体前部に設けた左右一対の接地輪、又は走行駆動車輪と同様に駆動する左右一対の前輪を備えた４輪駆動形態の歩行型草刈機が知られている。又、機体後部に左右一対の走行駆動輪、又は走行クローラを備え、その前方には刈り取り装置を含む刈刃ハウジングを設け、この刈刃ハウジングの左右両側に接地輪を設けた歩行型草刈機が知られている。しかしながら、これらの歩行型草刈機は草刈作業効率や機体の左右バランス、更には刈刃ハウジング内への刈草の掻き込み性を考慮して、刈刃ハウジング前方中央部には草掻き込みの障害となる接地輪を配置せず、接地輪は刈刃ハウジングの左右外側方に設けられ、走行輪の左右間隔も広く構成したものが多くなっている。これら広幅の接地輪や走行輪を備えた歩行型草刈機は、比較的小型ではあるものの狭幅の畦上の草刈作業を行う場合には機体腹部が接地してしまい、草刈作業ができないものであった。そこで本発明は、平旦地において広幅での草刈作業が可能であり、畦上等の草刈作業においても容易に効率よく行うことができる歩行型草刈機を提供することを課題とする。
【課題を解決するための手段】
【０００５】
機体１前方に、左右両外側位置に接地輪２、２を備えた刈刃ハウジング３を設け、その後方に原動機４と左右一対の走行輪５、５とを設け、機体１後方上方へ向け延設するハンドル６を、その後方を歩行する作業者が把持操作しながら草刈作業を行うことのできる歩行型草刈機において、前記走行輪５、５の左右間隔Ｗを拡縮可能に構成し、接地輪２、２を上下移動させて草の刈高さを調整可能に構成するとともに、刈刃ハウジング３の左右両外側に配置した接地輪２、２を上下移動させた際に、該接地輪２、２の前端が側面視刈刃ハウジング３側板３５の前端Ｆより突設しないよう構成し、更に、刈刃ハウジング３の前部上側の中央部に接地輪取着部７を設け、この接地輪取着部７へ接地輪２ａを着脱可能に構成する。
【０００６】
【０００７】
【発明の効果】
【０００８】
請求項１に記載の発明は、走行輪５、５の左右間隔Ｗを拡縮可能に構成し、接地輪２、２を上下移動させて草の刈高さを調整可能に構成するとともに、刈刃ハウジング３の左右両外側に配置した接地輪２、２を上下移動させた際に、該接地輪２、２の前端が側面視刈刃ハウジング３側板３５の前端Ｆより突出しないよう構成し、更に、刈刃ハウジング３の前部上側の中央部に接地輪取着部７を設け、この接地輪取着部７へ接地輪２ａを着脱可能に構成してあるので、平地等の草刈作業を行う場合は、刈刃ハウジング３左右両外側方位置の接地輪２、２及び左右の走行輪５、５間隔Ｗを拡張させ広幅に構成することにより、機体１安定性、及び草の掻き込み性が良く、狭幅の畦上等の草刈作業を行う場合には、刈刃ハウジング３の前部上側中央部に設けた接地輪取着部７へ接地輪２ａを取着するとともに、左右走行輪５、５間隔Ｗを縮小させ狭幅に構成することにより、歩行できる程度の狭幅の畦上等の草刈作業も行うことが可能となる。又、接地輪２、２を上下移動調整しても、接地輪２、２前端が側板３５の前端Ｆより突出しないので、刈刃ハウジング３前方からの刈草の取込み性が良く、接地輪２、２への草の巻込みも少ない。
【０００９】
【００１０】
【図面の簡単な説明】
【００１１】
【図１】歩行型草刈機の全体平面図
【図２】歩行型草刈機の全体側面図
【図３】駆動走行輪と接地輪との関係を示す背面図
【図４】接地輪の構成を示す側面図
【図５】接地輪の着脱状態を示す側面図
【図６】接地輪を最低位に設定した場合の側面図
【発明を実施するための形態】
【００１２】
本発明の歩行型草刈機は、機体１前方に雑草の刈取が可能の刈取装置８を設け、その外周部を刈刃ハウジング３で覆っている。機体中央部にはギヤボックス１５を設け、その後方に原動機４を、下方に走行用の走行輪５を設け、ギヤボックス１５上方部から原動機４上側の後方上方へ向かって延設のハンドル６を設けてある。原動機４の動力は、ギヤボックス１５を介して走行輪５及び刈取装置８へ伝達され、走行輪５への伝達は走行クラッチ１６により、又、刈取装置８への伝達は刈取クラッチ１７を入、切操作することで各々への伝動を入、切することができる。２２は、左右各々の走行輪５、５への駆動の入、切、及び回転固定を行うサイドクラッチレバーで、１８は走行速度を変速する変速レバーであり、１９は原動機４の回転数を増減するスロットルレバー、２０はハンドル６を機体１進行方向と同方向に向けた状態Ａや機体１進行方向と直交方向に向けた状態Ｂ等に旋回させる際に、そのハンドル６の旋回固定状態を旋回可能状態にすることのできる旋回レバーで、状態Ａから左右各々約１００度、すなわち機体１進行方向に対し直行方向に向けた状態Ｂから更に前方へ旋回可能に構成してある。又、２１は、ハンドル６の所定範囲上下回動を固定状態と回動可能状態とに切換え可能のハンドル上下レバーである。
【００１３】
走行輪５、５の左右間隔Ｗは、その轍間距離を拡張状態Ｗ１と縮小状態Ｗ２とに拡縮可能に構成してある。その拡縮方法は、ピン２３を抜き車軸２４穴と車輪ボス２５との穴位置を変更することによって行われる。走行輪５、５は比較的広幅のタイヤを採用し、左右走行輪５、５間に設けるギヤボックス１５は狭幅に形成してあり、走行輪５、５間を拡張させた場合は機体１の左右安定性が良く、縮小させた場合にも左右安定性を維持しながら、畦上等の狭幅の走行路面も安定した走行が可能である。
【００１４】
原動機４の駆動力は、ギヤボックス１５及び刈刃伝動系路Ｄを介して刈刃軸９に伝動され、この伝動は刈刃クラッチ１７を入、切操作することで接続、遮断が可能である。刈刃軸９の周りには複数のフレールナイフ１０を設け、このフレールナイフ１０は左右一対のナイフをＹ字形態に取着し、所定範囲の回動が可能で、これらの刈取装置８は、側面視において刈刃軸９前側が上方へ向け回転するアッパー回転によって草を刈取ることができるハンマーナイフ形態である。刈取装置８外周は刈刃ハウジング３で覆われ、この刈刃ハウジング３の左右両外側部には、接地輪軸３０に軸支された車輪３１を備え、上下スライド可能の接地輪２、２を設けてある。接地輪２、２の上下スライドは、スプリング２６の付勢力に抗してレバー２７を引き、接地輪２、２の摺動杆２８の穴２９の嵌合を解除し別の穴２９へ嵌合させることで行うことができる。
【００１５】
刈刃ハウジング３の前部上側には、ハンマーナイフ形態の刈取装置８に巻き付いた蔓草や紐等により、刈刃ハウジング３前方から作業者（操縦者）側へ向けて礫土や草が飛散することを防止可能の飛散防止カバ−１１を設けてある。飛散防止カバー１１は、刈刃ハウジング３の左右幅ＷＫと略同幅に形成してあり、刈刃ハウジング３前部上側の左右両端部に設けたカバーベース３２にボルト３３で取着してあり、刈刃ハウジング３の前端部から前方上方へ向け屈曲させ、この飛散防止カバー１１の左右中央部には、接地輪２ａ又は２を取着可能の接地輪取着部７を設けてある。この接地輪取着部７は、本実施の形態においては飛散防止カバー１１にその全体を溶着しているが、その一部を刈刃ハウジング３側へ固着しても良い。接地輪取着部７に取着する接地輪は、新たな接地輪２ａを取着するか、刈刃ハウジング３左右両外側方に設けた接地輪２、２の内どちらか一方を取着できるよう構成してもよい。又、左右どちらか一方の接地輪２を接地輪取着部７へ取着した場合は、残った片方の接地輪２を取外し、接地輪ベース３４の上方から摺動杆２８を嵌挿し、接地輪２を逆向きに取着し、草刈作業の際、接地輪２に草が接触して抵抗とならないようにすることが好ましい。
【００１６】
傾斜地、及び平地での草刈作業時は、走行輪５、５の左右間隔Ｗを拡張させた拡張状態Ｗ１に設定し、安定した草刈作業を行うことができる。又、畦上等の草刈作業時は、走行輪５、５の左右間隔Ｗを縮小させた縮小状態Ｗ２に設定するとともに、新たな接地輪２ａ又は刈刃ハウジング３左右両外側に設けた接地輪２、２の内どちらか一方の接地輪２を、左右中央部に設けた接地輪取着部７へ取着する。通常、畦は田の風通しを良くするという目的もあり、その畦上の草刈作業は比較的頻繁に行う必要があり、休耕田等のように草丈が高くならず、刈刃ハウジング３中央部の前方接地輪２、２ａが突出していても刈取装置８内への刈草の取込み性能にはあまり影響せず、このことからも、狭幅の畦上においても安定した刈残しのない草刈作業を行うことが可能である。
【００１７】
刈刃ハウジング３の左右両外側の接地輪ベース３４は、断面角パイプ形状に形成し後方上方に向け溶着してあり、この接地輪ベース３４内を、接地輪２、２の断面角パイプ形状の摺動杆２８を上下摺動させることによって、刈草の刈高さを調整することが可能である。接地輪２、２の上下高さ調整は、摺動杆２８の複数個設けた穴２９とレバー２７との嵌合、及び解除によって行うことができる。草の刈高さが高くなるよう接地輪２、２を最下方位置に設定した場合に接地輪２、２が最も前方へ移動した位置となるが、この位置においても、接地輪２、２の前端は刈刃ハウジング３側板３５の前端Ｆより突出しないように構成してあり、前方からの刈草の取込み性が良く、接地輪２、２への草の巻込みも少ない。
【符号の説明】
【００１８】
１    機体
２    接地輪
２ａ  接地輪
３    刈刃ハウジング
４    原動機
５    走行輪
６    ハンドル
７    接地輪取着部
８    刈取装置
９    刈刃軸
１０  フレールナイフ
１１  飛散防止カバー
Ｗ    間隔
ＷＫ  左右幅
【図１】
0006709438.tif 000002
【図２】
0006709438.tif 000003
【図３】
0006709438.tif 000004
【図４】
0006709438.tif 000005
【図５】
0006709438.tif 000006
【図６】
0006709438.tif 000007